(57)【特許請求の範囲】
【請求項１】
ストロボ回路への充電のオン／オフを切り換える充電スイッチを備えたストロボユニットと、
前記充電スイッチをオンさせる位置とオフさせる位置との間でスライド操作される充電操作部材と、
この充電操作部材をスライド自在にガイドするガイド部と、
前記充電操作部材とガイド部とのいずれか一方に設けられた被係合部と、他方に設けられ、被係合部に係合して充電操作部材をオン位置とオフ位置とで保持する係合部と、該充電操作部材がスライドされた際に弾性変形して被係合部あるいは係合部のいずれか一方を他方に対して退避させ、充電操作部材にクリック感を付与する弾性部とを有するクリックストップ手段とを備え、
前記係合部と被係合部との間の係合力を高めることにより、前記スライド操作時にクリックストップ手段によって充電操作部材に付与される負荷は、前記充電スイッチがオンする際に該充電操作部材に付与される負荷よりも大きくされていることを特徴とするレンズ付きフイルムユニット。
【請求項２】
前記クリックストップ手段によって充電操作部材に付与される負荷は、充電操作部材をオフ位置からオン位置へスライドさせる際よりも、該充電操作部材をオン位置からオフ位置へスライドさせる際の方が小さいことを特徴とする請求項１記載のレンズ付きフイルムユニット。
【発明の詳細な説明】
【０００１】
【発明の属する技術分野】
本発明は、レンズ付きフイルムユニットに関し、更に詳しくは、スライド操作される充電操作部材を備えたレンズ付きフイルムユニットに関するものである。
【０００２】
【従来の技術】
簡単な撮影機構が組み込まれ、写真フイルムが予め装填されたレンズ付きフイルムユニットが本出願人より製造・販売されている。このようなレンズ付きフイルムユニットには様々な種類があり、夜間や室内での撮影が行えるように、ストロボユニットが組み込まれたものもある。レンズ付きフイルムユニットのストロボユニットは、放電管や拡散板等からなるストロボ発光部と、このストロボ発光部を発光させるストロボ回路が形成されたプリント基板と、ストロボ回路にストロボ充電を行わせる充電スイッチとからなる。
【０００３】
上記充電スイッチは、ローコスト化のために簡素化されたものとなっており、プリント基板上に形成された複数の接点部を金属接片で接続し、ストロボ回路を閉じることにより充電を開始させる。金属接片を接点部に接触させる充電操作部材としては、一度の操作で金属接片を接点部に当接させた状態に維持できる係止機構を備えたスライド式のものや、撮影者によって付勢されている間だけ金属接片を接点部に接触させるようにした、押しボタン式やスライド式のものが用いられている。
【０００４】
係止機構を備えたスライド式の充電操作部材は、充電操作部材をスライド自在にガイドするガイド部と、充電操作部材をオン位置とオフ位置とで保持するとともに、該オン位置とオフ位置との間でのスライド時に充電操作部材にクリック感を付与するクリックストップ手段とを備えている。
【０００５】
【発明が解決しようとする課題】
しかしながら、充電操作部材をオフ位置からオン位置へとスライドさせると、充電スイッチを構成する金属接片がプリント基板に接触することによって、充電操作部材に与えられる負荷が変化してしまい、クリック感が２段階に感じられ、充電操作部材の操作感が悪化するという問題があった。また、金属接片により与えられる負荷によって、充電操作部材のオン位置へのスライドが完了したと勘違いし、充電操作部材のスライド操作が途中までしか行われなくなるという問題もある。
【０００６】
本発明は、上記問題点を解決するためのもので、充電操作部材の操作感を向上させ、スライド操作の完了が明確に分かるようにすることを目的とする。
【０００７】
【課題を解決するための手段】
上記問題点を解決するために、本発明のレンズ付きフイルムユニットは、スライド操作時にクリックストップ手段によって充電操作部材に付与される負荷を、充電スイッチをオンさせる際に充電操作部材に付与される負荷よりも大きくしたしたものである。
【０００８】
また、クリックストップ手段によって充電操作部材に付与される負荷は、充電操作部材をオフ位置からオン位置へスライドさせる際よりも、該充電操作部材をオン位置からオフ位置へスライドさせる際の方が小さくなるようにしたものである。
【０００９】
更に、充電操作部材とガイド部とのいずれか一方に設けられた被係合部と、他方に設けられ、被係合部に係合して充電操作部材をオン位置とオフ位置とで保持する係合部と、該充電操作部材がスライドされた際に弾性変形して被係合部あるいは係合部のいずれか一方を他方に対して退避させ、充電操作部材にクリック感を付与する弾性部とからクリックストップ手段を構成し、該係合部と被係合部との間の係合力を高めることによって充電操作部材に付与する負荷を大きくしたものである。
【００１０】
【発明の実施の形態】
図２及び図３は、本発明のレンズ付きフイルムユニット２の使用時及び不使用時の状態を示す斜視図である。レンズ付きフイルムユニット２は、簡単な撮影機構が組み込まれ、予め写真フイルムが装填されたユニット本体３と、このユニット本体３の外周に巻き付けられるようにして貼付される外装ラベル４とから構成されている。外装ラベル４には、ユニット本体３の上面から突出してストロボ充電の完了を表示するライトガイド５，フイルムカウンタ窓６等を露呈させるための開口等が形成されている。
【００１１】
ユニット本体３の前面には、左右方向にスライドして開閉されるレンズバリア８と、このレンズバリア８の開放位置で露呈される撮影レンズ９，ファインダ１０と、被写体に向けてストロボ光を照射するストロボ発光部１１及び上下方向でスライド自在とされた充電操作部材１２が設けられている。またユニット本体３の上面及び背面には、前記ライトガイド５，フイルムカウンタ窓６，シャッタボタン１３，巻上げノブ１４が設けられている。
【００１２】
充電操作部材１２は、図２に示すように、上方にスライド操作された際に、ユニット本体３内に組み込まれたストロボ回路にストロボ充電を行わせるとともに、ストロボ発光を許容する。また、図３に示すように、充電操作部材１２が下方にスライドされている際には、ストロボ回路へのストロボ充電は行われず、充電が完了している場合でもストロボ発光が禁止される。前記ライトガイド５は、充電操作部材１２の上方へのスライド操作に連動してユニット本体３の上面から突出され、ストロボ充電が完了すると発光し、撮影者と被撮影者との両方にストロボ充電が完了したことを知らせる。
【００１３】
図４に示すように、ユニット本体３は、前カバーユニット１６、本体基部１７、露光ユニット１８、ストロボユニット１９、フイルムカートリッジ２０、及び後カバー２１から構成されている。本体基部１７には、フイルムカートリッジ２０を構成するカートリッジ本体２２が収納されるカートリッジ室２３と、カートリッジ本体２２から引き出されてロール状に巻かれた写真フイルム２４を収納するフイルム室２５とがそれぞれ一体に設けられている。これらカートリッジ室２３とフイルム室２５との間には、詳しくは図示しないが、撮影光路を遮光する遮光筒とこの遮光筒に連なるアパーチャーとが設けられており、前記露光ユニット１８は遮光筒の前面に取り付けられる。
【００１４】
後カバー２１には、カートリッジ室２３とフイルム室２５との底を塞ぐためのプルトップ式の底蓋２１ａ，２１ｂがそれぞれ設けられている。後カバー２１を取り付けた後に、これらの底蓋２１ａ，２１ｂで各室２３，２５の底を塞ぐことでフイルムカートリッジ２０が本体基部１７との間で光密に収納される。カートリッジ室２３の底を塞ぐ底蓋２１ａは、現像所で撮影済みの写真フイルム２４を収納したカートリッジ本体２２を取り出すときに開放される。
【００１５】
カートリッジ室２３の上には、巻上げノブ１４が回転自在に設けられている。巻上げノブ１４は、一部が後カバー２１の開口２７から露呈している。フイルム巻き上げ操作を行うと、未露光の写真フイルム２４がフイルム室２５から引き出されて露光ユニット１８の後方に設けられた本体基部１７のアパーチャにセットされ、これと同時に露光済みの写真フイルム２４がカートリッジ本体２２内に巻き上げられる。
【００１６】
露光ユニット１８は、撮影レンズ９やファインダ１０を構成する対物レンズ及び接眼レンズ、シャッタレリーズ機構，シャッタチャージ機構、フイルム巻止め機構、フイルムカウンタ機構等をユニット化したものである。露光ユニット１８の上部には、ユニット本体３の上面に形成された開口部から外部に露呈されるシャッタボタン１３が取り付けられている。
【００１７】
前カバーユニット１６は、前面に撮影レンズ９を露呈させるレンズ開口２９ａ，充電操作部材１２を露呈させる開口２９ｂ，ストロボ発光部１１を露呈させる開口２９ｃ等が形成されている前カバー本体２９と、この前カバー本体２９の前面にスライド自在に取り付けられるレンズバリア８とからなる。
【００１８】
ストロボユニット１９は、各種電気部品が取り付けられてストロボ回路が形成されたプリント基板３１と、放電管やリフレクタ，拡散板等からなるストロボ発光部１１と、ストロボユニット１９の電源となる電池３２とから構成されている。プリント基板３１には、露光ユニット１８のシャッタレリーズ機構のレリーズ動作によってオンし、ストロボ発光を行わせるシンクロスイッチ３３と、充電操作部材１２のスライド操作によってオン／オフされる充電スイッチ３４とが設けられている。
【００１９】
充電スイッチ３４は、図１に示すように、プリント基板３１上に取り付けられた金属接片３６と、この金属接片３６に近接して設けられた接点部３７，３８とからなる。金属接片３６は、略Ｕ字形状に屈曲されており、端部に形成された二股部３６ａがの接点部３７，３８に接触することにより充電スイッチ３４がオンする。この金属接片３６の変位は、充電操作部材１２の背面に設けられた押圧突起３９の押圧によって行われる。充電操作部材１２がオフ位置にある際には、金属接片３６は図示するように、接点部３７，３８に接触せず、充電操作部材１２がオン位置にある際には、金属接片３６は押圧突起３９に押圧されて変位し、接点部３７，３８に接触する。
【００２０】
充電操作部材１２には、平板状の基板部４１が一体に設けられており、この基板部４１とプリント基板３１との間には、基板部４１が上下方向でスライド自在となるようにガイドするガイド部であるガイド部材４２が配置されている。基板部４１には、ガイド部材４２に形成されたガイドピン４３，４４と、クリックストップ手段を構成する被係合突起４５とがそれぞれ挿入される開口４６，４７が形成されており、基板部４１はこれらに沿って上下方向でスライドされる。
【００２１】
また、基板部４１には、ライトガイド５に一体に形成されたピン５ａを挟み込んで保持する二股形状の保持部４９が設けられている。ライトガイド５は、基板部４１によってユニット本体３上面から突出されると、プリント基板３１に取り付けられたＬＥＤ５０に対面する。そして、ＬＥＤ５０から照射された光を内面反射によりユニット本体３外にガイドし、撮影者と被撮影者とにストロボ充電の完了を知らせる。
【００２２】
基板部４１の前面下部に設けられている突条５２は、レンズバリア８によって充電操作部材１２をオン位置からオフ位置へスライドさせる際と、充電操作部材１２のロックとに用いられる。充電操作部材１２がオン位置にある際にレンズバリア８が閉じられると、レンズバリア８の内面の下部に設けられたレバー（図示せず）が突条５２の傾斜した上面を押圧し、基板部４１を下方に押し下げる。そして、完全にレンズバリア８が閉じられると、レバーは突条５２の上部に配置され、充電操作部材１２の上方へのスライドを阻止する。
【００２３】
基板部４１の開口４７の一方の側辺は、隣接して形成された開口５４によって弾性変形可能な弾性部５５とされており、開口４７内には係合部である係合突起５６が一体に形成されている。これら弾性部５５と係合突起５６は、クリックストップ手段を構成する。被係合突起４５は、開口４７の内壁面に当接するガイド面４５ａで基板部４１をガイドするとともに、上下部に形成された上係合面４５ｂ及び下係合面４５ｃに、係合突起５６に形成された下係合面５６ａ及び上係合面５６ｂを係合させることで、基板部４１をオフ位置とオン位置とで保持する。充電操作部材１２をスライド操作すると、基板部４１に設けられた係合突起５６と被係合突起４５とが当接し、弾性部５５が弾性変形して被係合突起４５に対する係合突起５６の通過を許容する。その際の係合突起５６と被係合突起４５との係合及び係合解除によって、充電操作部材１２のスライド操作にクリック感が付与される。
【００２４】
充電操作部材１２を前面側から見た正面図である図５に示すように、充電操作部材１２をオフ位置からオン位置までスライドする際に当接する係合突起５６の上係合面５６ｂと、被係合突起４５の下係合面４５ｃとは、被係合突起４５のガイド面４５ａに対する角度θ１が９０°近くとされており、充電操作部材１２がオフ位置にある際の係合突起５６と被係合突起４５との係合力が高められている。これにより、充電操作部材１２をオフ位置からオン位置へとスライド操作する際に充電操作部材１２に掛かる負荷が大きくなるため、ユーザーは充電操作部材１２を強い力で操作することになる。そのため、充電スイッチ３４の金属接片３６の変位による負荷変動が感じられる間もなく、充電操作部材１２はオフ位置からオン位置へと一気に移動することになる。
【００２５】
このように、係合突起５６と被係合突起４５との係合力を高めることで、従来発生していた２段階のクリック感等の操作感の悪化や、操作途中でのスライド操作の中止等といった問題を解決することができる。また、振動や衝撃等によって充電操作部材１２が不用意にオフ位置からオン位置へと移動してしまうのも阻止することができ、内蔵する電池３２の消耗を防止することができる。更に、部品の一部の面の角度を変更するだけなので、ローコストに実施することができる。
【００２６】
なお、係合突起５６の下係合面５６ａと被係合突起４５の上係合面４５ｂの角度θ２は、θ１よりも小さくされているため、充電操作部材１２をオン位置からオフ位置へとスライド操作する際には、弱い力で容易に行うことができ、充電スイッチの切り忘れ等を防止することができる。
【００２７】
次に、上記実施例の作用について説明する。レンズ付きフイルムユニット２で撮影を行う場合には、図３に示すように、不使用状態となっているレンズ付きフイルムユニット２のレンズバリア８をスライド操作して、図２に示すように、撮影レンズ９やファインダ１０等を露呈させる。次に、ユーザーはファインダ１０を覗いてフレーミングを行なう。被写体の輝度が低い場合や、逆光での撮影の際には、ストロボ撮影を行うために、図３に示すように、オフ位置にある充電操作部材１２を図２に示すオン位置に向けてスライド操作する。
【００２８】
充電操作部材１２を上方に向けてスライド操作すると、図１に示すように、充電操作部材１２とこれに一体に形成された基板部４１がガイド板４２に沿って上方にスライドする。その際に、図５に示すように、基板部４１に一体に形成された係合突起５６の上係合面５６ｂが、被係合突起４５の下係合面４５ｃを押圧する。被係合突起４５は、弾性部５５を弾性変形させて係合突起５６を退避させ、係合突起５６を乗り越える。その際に、充電操作部材１２にクリック感が付与される。
【００２９】
係合突起５６の上係合面５６ｂと、被係合突起４５の下係合面４５ｃの角度θ１は、９０°近くとされているため、係合突起５６と被係合突起４５との係合力が高められており、充電操作部材１２をオフ位置からオン位置へとスライド操作する際に充電操作部材１２に掛かる負荷が大きくなる。これにより、ユーザーは充電操作部材１２を強い力で操作することになるため、充電スイッチ３４の金属接片３６の変位による負荷変動が感じられる間もなく、充電操作部材１２はオフ位置からオン位置へと一気に移動することになり、従来発生していた２段階のクリック感等の操作感の悪化や、操作途中でのスライド操作の中止等といった問題は解決される。また、振動や衝撃等によって充電操作部材１２が不用意にオフ位置からオン位置へと移動してしまうのも阻止することができ、内蔵する電池３２の消耗を防止することができる。
【００３０】
充電操作部材１２がオン位置にスライドされると、図１に示すように、充電操作部材１２の背面に設けられた押圧突起３９が金属接片３６を押圧して変位させ、接点部３７，３８に接触させる。これにより、充電スイッチ３４がオンし、ストロボ回路はストロボ充電を行う。また、図２に示すように、ライトガイド５がユニット本体３の上面から突出され、プリント基板３１に取り付けられたＬＥＤ５０に対面する。ストロボ充電が完了すると、ＬＥＤ５０が発光する。ＬＥＤ５０から照射された光はライトガイド５に入射し、ライトガイド５内の内面反射によってユニット本体外に放射される。ユーザーや被撮影者は、ライトガイド５から放射される光を見てストロボ充電が完了したことを知ることができる。
【００３１】
シャッタボタン１３を押下すると、露光ユニット１８に組み込まれたシャッタレリーズ機構が作動し、写真フイルム２４に露光を行うとともに、ストロボユニット１９のシンクロスイッチ３３をオンさせる。これにより、シャッタレリーズに合わせてストロボ発光部１１からストロボ光が被写体に照射され、適性な輝度の撮影を行うことができる。
【００３２】
撮影終了をする場合には、充電操作部材１２をオン位置からオフ位置にスライド操作し、撮影レンズ９等を隠す方向にレンズバリア８をスライドさせる。図５に示すように、係合突起５６の下係合面５６ａと被係合突起４５の上係合面４５ｂの角度θ２は、θ１よりも小さくされているため、充電操作部材１２をオン位置からオフ位置へとスライド操作する際には弱い力で容易に行うことができ、充電スイッチの切り忘れを防止することができる。
【００３３】
なお、上記実施形態では、係合突起と被係合突起との当接面の傾斜をスライド方向に対して急にすることにより充電操作部材に掛かる負荷を大きくしたが、弾性部を太くしても同様の効果を得ることができる。この場合には、充電操作部材をオン位置からオフ位置にスライドする際の負荷も大きくなる。
【００３４】
また、係合突起と被係合突起と弾性部とからなるクリックストップ手段を用いたレンズ付きフイルムユニットを例に説明したが、その他のクリックストップ手段を用いたレンズ付きフイルムユニットにも用いることができ、同様の作用効果を得ることができる。
【００３５】
更に、レンズバリアやライトガイドを有するレンズ付きフイルムユニットを例に説明したが、これらを備えていないレンズ付きフイルムユニットにも採用することができる。
【００３６】
【発明の効果】
以上説明したように、本発明のレンズ付きフイルムユニットは、スライド操作時にクリックストップ手段によって充電操作部材に付与される負荷を、充電スイッチをオンさせる際に充電操作部材に付与される負荷よりも大きくしたので、従来発生していた２段階のクリック感等の操作感の悪化や、操作途中でのスライド操作の中止等といった問題を解決することができる。また、振動や衝撃等によって充電操作部材が不用意にオフ位置からオン位置へと移動してしまうのも阻止することができ、内蔵する電池の消耗を防止することができる。
【００３７】
更に、クリックストップ手段による負荷は、充電操作部材をオフ位置からオン位置へ移動させる場合よりも、充電操作部材をオン位置からオフ位置へと移動させる場合の方が小さくなるようにしたので、弱い力で簡単に充電スイッチをオフさせることができ、充電スイッチの切り忘れによる電池の消耗を防止することができる。
【００３８】
また、部品の一部の面の角度を変更するだけで、充電操作部材をオフ位置からオン位置へスライドさせる際の負荷を大きくすることができるので、ローコストに実施することができる。
【図面の簡単な説明】
【図１】充電操作部材及びクリックストップ手段の構成を示す分解斜視図である。
【図２】レンズ付きフイルムユニットの使用状態を示す外観斜視図である。
【図３】レンズ付きフイルムユニットの不使用状態を示す外観斜視図である。
【図４】ユニット本体の構成を示す分解斜視図である。
【図５】クリックストップ手段の構成を示す正面図である。
【符号の説明】
２  レンズ付きフイルムユニット
３  ユニット本体
１２  充電操作部材
１９  ストロボユニット
３４  充電スイッチ
３１  プリント基板
４１  基板部
４２  ガイド部材
４５  被係合突起
５５  弾性部
５６  係合突起
【図１】
0003818558.tif 000002
【図２】
0003818558.tif 000003
【図３】
0003818558.tif 000004
【図４】
0003818558.tif 000005
【図５】
0003818558.tif 000006